Podtech/llm-jp-corpus-v4-ja_patent huggingface dataset:
(57)【要約】      （修正有）【課題】片手でも車のハンドルを容易に操作することができるハンドルを提供する。【解決手段】ハンドル１に１体の滑り止め用ドーナツ型凸部２を、ハンドルの握る定位置３に配置した事で、凸部を利用すれば従来のハンドルよりもしっかり感の操作が出来る。又操作は周囲に配置した凸部を手の平の圧着力で、従来の両手での操作と同じように、各凸部を圧着しながら、又は握りながら、ハンドルをスムーズに操作すれば良い。又配置のどの凸部ででも片手で圧着しながら操作すれば、両手でよりもハンドルの早い操作が、出来る事を可能にした。【選択図】図１
0003193241.tif 000002
【実用新案登録請求の範囲】
【請求項１】
ハンドルと１体の滑り止め用ドーナツ型凸部を、周囲に配置したハンドル。
【考案の詳細な説明】
【技術分野】
【０００１】本考案は車のハンドルに関する。
【背景技術】
【０００２】従来の車のハンドルは握る位置が決まっておらず、ハンドルの適当な所を両手で握り操作していた。又操作は両手を使わなければ出来なかった。
【考案の開示】
【考案が解決しようとする課題】
【０００３】しかし、両手を使わなければ操作する事が出来ない、又早い操作の必要時に対応出来ない  従来のハンドルは不便でもあった。
【課題を解決するための手段】
【０００４】本考案はハンドルに一体のドーナツ型滑り止め用凸部を、握る定位置に決めた各所に配置し、凸部で拳を固定出来るようにした。
又各凸部を手の平で圧着する事で、片手でもハンドルを操作する事が出来るようにした。
【考案の効果】
【０００５】拳をハンドルと一体のドーナツ型凸部で受け取める事で、拳の負担を少なくした。
又ハンドルの周囲に配置の凸部のどれを使ってでも、手の平で圧着しながらハンドルを片手でスムーズに早く操作する事が出来る。
【考案を実施するための形態】
【０００６】本考案の凸部は握る定位置に付けているが、両手操作時の握る位置にも合っているので、凸部を利用すれば操作がスムーズに出来る。
又片手で操作を行うにはどの凸部ででも利き腕の手の平の圧着力を利用してハンドルを操作し、他方の手はハンドルの外側に添えて操作のサポートをする。又凸部を指の間に挟めば滑らないので、軽い握りで操作が楽である。
【図面の簡単な説明】
【０００７】
【図１】本考案に係るハンドルと１体で握る定位置の凸部の位置図で、現寸の３分の１図である。
【図２】握る定位置のハンドルと凸部の右手拳の位置図の現寸図である。
【図３】ハンドルと凸部の現寸、断面図である。
【図４】ハンドルと凸部の横からの図で、握る定位置の凸部を指で挟んでいる時の拳の図である。
【符号の説明】
【０００８】１、ハンドル。
２、ハンドルと１体で周囲に配置した、握る定位置の滑り止め用ドーナツ型凸部。
３、握る定位置の握り拳の位置の例。
【図１】
0003193241.tif 000003
【図２】
0003193241.tif 000004
【図３】
0003193241.tif 000005
【図４】
0003193241.tif 000006
(57)【要約】      （修正有）【課題】ねずみが後戻りできない習性を利用し、粘着板に乗っかったねずみが、走り抜け脱出を試みた時に、ねずみに対しての負荷としてかかることに因り、ねずみの足・体毛全体と粘着剤を接（漂）着させる時間と面積を増幅させ、補獲率を上げ、着脱率を下げさせたローラー加速式ねずみとりを提供する。【解決手段】３つ折り・観音開き式構造の粘着板１の底・中央面の４箇所・４隅に、球体状のキャスター２を接着・固定化させる。【選択図】図２
0003193244.tif 000002
【実用新案登録請求の範囲】
【請求項１】
３つ折り・観音開き構造の粘着剤を塗付させた粘着板（１）の裏下面・中央面の４箇所に球体状のキャスター（２）を、セット固定をさせた、ローラー加速式のねずみとり。
【考案の詳細な説明】
【考案の詳細な説明】
【技術分野】
【０００１】この考案は、通常、且つ、既存の、粘着剤を利用、設置し捕獲処理を適える、ねずみとり、の底面下部・４隅に、球体状のキャスターを接着・固定をさせた、害獣駆除材・ねずみとり、に関するものである。
【背景技術】
【０００２】従来、ハウス（箱）型や、シート（フラット状）型で、それらの内面・上部に、粘着剤が、塗付・施された、ねずみとり、が有った。
【考案が解決しようとする課題】
【０００３】これらには、次のような欠点が有った。
（イ）ねずみの足が、濡れている場合が多く、足跡だけを残して、ねずみとりの上を、走り抜けられ、補獲粘着板としての、補獲効率、ならびに、補獲満足度を、必ずしも満たしきれていなかった。
【課題を解決するための手段】
【０００４】ねずみが、粘着板に乗った時に、ねずみが、後戻りできない習性を利用し、更に、ねずみが、脱着を試みても、前方に、進むだけの習性も利用し、粘着板（１）の底・中央面下部・４隅に、接着・固定をさせた、球体状のキャスター（２）が、任意の前方向に、旋回ないし走り出し、ねずみを乗せた粘着板（１）ごと、移動する。そして、粘着板（１）が、任意の前方向に、不規則に動き始めると同時に加速度運動を開始する粘着板（１）と、４輪・球体状のキャスター（２）とに、乗り出し・脱出を試み、もがき始める、ねずみに感じる慣性力が、その加速度×ねずみの体重（との積）として、進行方向と逆（負の）方向に働くためより、粘着板（１）と、ねずみが接着する時間と、粘着剤が、ねずみの体に漂着する面積も増幅させ、脱着率を下げ同時に、捕獲率を上げさせる。
【考案を実施するための形態】
【０００５】以下、本考案の実施の形態について説明する。
（イ）３つ折り・観音開き構造の粘着剤を塗付させた、粘着板（１）の底・中央面の４隅に、球体状のキャスター（２）を接着・固定化をさせる。
本発明は、以上のような構造で、これを使用すると、ねずみが、粘着板（１）に、乗っかり、脱着を試みようと、前方へ逃がれようとするも、球体状のキャスター（２）がねずみの運動方向に、連動され、「粘着板（１）の加速度」×「ねずみの体重」が、物理学上の慣性力として、進行（連動）方向と、逆方向に、働くため、結果として、ねずみの足に、粘着板（１）が、追いついてくる形  ＋  障害物として、向かってくる形  になり、粘着板（１）に、一度、踏み入れた、ねずみが、足を濡らしていても、脱着しずらく、走り抜けにくくなり、粘着板（１）に、触れ、漂着状態に有る、時間と塗体面積とが、増幅し、捕獲率が上がり、同時併行して、脱着率が、低減する。
【考案の効果】
【０００６】従来・既存品の粘着剤を塗付させたのみの、ねずみとりに存していた、捕獲率を低下させてきている要因＝単なる通り・走り抜けを、より防げ、従前型のねずみとり＝捕獲粘着トラップの敷設枚数も抑制でき、より経済的に、捕獲満足度・効率度も増幅させられる、ローラー加速式ねずみとりである。
【図面の簡単な説明】
【図１】  本考案の側面図である。
【図２】  本考案の底面（裏面）図である。
【符号の説明】  １．粘着板  ２．球体状のキャスター
【図１】
0003193244.tif 000003
【図２】
0003193244.tif 000004
(57)【要約】      （修正有）【課題】手指の力の弱い年少者・高齢者及び女性でもキャップを容易に回し外すことができるボトルの滑り止め付キャップを提供する。【解決手段】飲用のボトル（容器）本体４のキャップ１に数ミリ幅の滑り止め凸部２を数箇所設け、ボトル（容器）本体とキャップの接合された切り離し部３を切断するために手指で挟んで回す動作を容易にする。【選択図】図１
0003193249.tif 000002
【実用新案登録請求の範囲】
【請求項１】
飲用のボトル（容器）のキャップを通常は手指で挟んで回すことによりボトル本体より着脱するが、キャップを回し外す動作を容易にするために、指先が入る程度の間隔でキャップ周囲に数ミリ幅の凸部を数箇所設けたことを特徴とするボトル（容器）の滑り止め付キャップ。
【考案の詳細な説明】
【技術分野】
【０００１】  本考案は、ボトル（容器）のキャップに凸部を設けた滑り止め付キャップに関するものである。
【背景技術】
【０００２】  飲用のボトル（容器）のキャップを通常は手指で挟んで回し着脱するが、容易に回すことが出来ないことがある。
【考案の概要】
【考案が解決しようとする課題】
【０００３】  飲用ボトル（容器）のキャップは、ボトル本体の運搬中に於ける振動及び衝撃等によりキャップが緩まない様に比較的固くネジ込まれている。このため手指の力の弱い年少者・高齢者及び女性にとってキャップを回し外すことが容易でないのが現状である。
【課題を解決するための手段】
【０００４】  本考案は、キャップを回し着脱を容易にするために指先が入る程度の間隔でキャップ周囲に数ミリ幅の凸部を数箇所設けることにより、手指の先が凸部にあたるため滑ることなく押しつけてキャップを回し着脱することが出来る。
キャップの径の大きさにより凸部を適宣５〜６箇所にしてもよい。
【考案の効果】
【０００５】  上述の様に本考案のボトル（容器）のキャップを回し着脱するのに他の人に頼らず手指の力の弱い年少者・高齢者及び女性にとってもキャップを回し着脱することが容易になる。
【図面の簡単な説明】
【０００６】
【図１】  本考案のボトル（容器）の滑り止め付キャップの実施例を示す正面図である。
【図２】  本滑り止め付キャップのＡ矢視図である。
【考案を実施するための形態】
【０００７】  ボトル（容器）のキャップは、従来よりキャップの周囲に滑り止めの溝が細かい間隔でデザインされているが、ある程度の力を加えて手指に挟んで回し着脱しなければならないのが現状のため、これを容易にするためにキャップ周囲に間隔をおいて凸部を形成することは、製造上の問題なくできる。
【実施例】
【０００８】  以下、添付図面に従って説明する。４はプラスチック・アルミ等を適宣素材にて一体化形成されたボトル本体、１は数ミリ幅の凸部で両端は斜めカットにした滑り止めが形成されたキャップ、３はボトル本体４と滑り止め付キャップ１を回し着脱することにより切り離される切り離し部３である。
【符号の説明】
【０００９】１  滑り止め付キャップ
２  滑り止め凸部
３  切り離し部
４  ボトル本体
【図１】
0003193249.tif 000003
【図２】
0003193249.tif 000004
(57)【要約】      （修正有）【課題】カーテンの開け閉めに伴い、カーテンレール上面の埃を掃除できるカーテンランナー取付具を提供する。【解決手段】カーテンランナーに取り付けられる本体１と屈曲可能な線状部材により構成され、その先にカーテンレール上面部に配置されるうちわ状の部分２を備える。カーテンの開け閉めによって、うちわ状の部分が風を起こし、カーテンレール上面の埃を落とす。【選択図】図１
0003193203.tif 000002
【実用新案登録請求の範囲】
【請求項１】
カーテンランナーに取り付けられる本体１と屈曲可能な線状部材により本体に接続されたうちわ状の部分２と、を備えたカーテンランナー取付具であって、うちわ状の部分は、カーテンレール上面部に配置されるものであることを特徴とする。
【考案の詳細な説明】
【技術分野】
【０００１】  本考案は、本体１をカーテンランナーに取り付けることによって、カーテンの開け閉めにより、うちわ状の部分２が動き、風で埃を落としてカーテンレール上面の埃をきれいにするようにしたものである。
【考案の概要】
【考案が解決しようとする課題】
【０００２】  カーテンレール上面の埃は、長い間にすごくたまり、衛生的に良くないし、掃除をするのが面倒なので、本考案はこの課題を解消するためになされたものである。
【課題を解決するための手段】
【０００３】  本体１をカーテンランナーに取り付けることによって、カーテンレールの開け閉めで、本体１が動き、うちわ状の部分２が動き、風でカーテンレール上面の埃をきれいにするようにした。
【考案の効果】
【０００４】  このようにすれば、面倒な掃除もしなくても、カーテンレール上面の埃がたまる前にきれいにすることができる。
【図面の簡単な説明】
【０００５】
【図１】本体１の全体図
【図２】本体１の側面図
【考案を実施するための形態】
【０００６】  カーテンランナーに本体１の粘着テープ４のついたクリップ状の部分３で取り付け、カーテンランナーからカーテンレール上面にのびるような形状とし、針金状に曲がることができるようにして位置を調節できるようにする。さらにうちわ状の部分２を組み合わせ、風によってカーテンレール上面の埃をきれいにできるようにする。尚、粘着テープ４とクリップ状の部分３の間にスポンジを取り付けても良い。
【符号の説明】１  本体
２  うちわ状の部分
３  クリップ状の部分
４  粘着テープ
【図１】
0003193203.tif 000003
【図２】
0003193203.tif 000004
【手続補正書】
【提出日】平成26年6月27日(2014.6.27)
【手続補正１】
【補正対象書類名】実用新案登録請求の範囲
【補正対象項目名】全文
【補正方法】変更
【補正の内容】
【実用新案登録請求の範囲】
【請求項１】
カーテンランナーに取り付けられる本体（１）と屈曲可能な線状部材により構成され、その先にカーテンレール上面部に配置されるうちわ状の部分（２）を備えたカーテンランナー取付具。
(57)【要約】      （修正有）【課題】【課題】一人で組立てができ、足場板の運搬もなく、余裕を持って作業をすることが出来る足場器具を提供する。【解決手段】長さ２０ｃｍ、高さ６ｃｍ、巾４ｃｍの長さ方向と直交する方向の断面形状がコの字形状である第１鉄製金具４と、第１鉄製金具４の上面に設けられた第２鉄製金具２とを備えた足場器具３０であって、第２鉄製金具２は全体形状が長さ２０ｃｍ、高さ６ｃｍ、巾４ｃｍの略直方体形状を有し、第２鉄製金具２の上面の両端部付近には、直径５ｃｍの鉄製単管を乗せる溝３を作り、溝３と溝３との間には、両端の鉄製単管をボルト１を上下動させることで締め付けたり、緩めたりすることができるボルト付鉄製金具２を取り付けた、鉄製単管の両端を固定する足場器具３０と、鉄製単管の真中を固定する足場器具。【選択図】図２
0003193201.tif 000002
【実用新案登録請求の範囲】
【請求項１】
0003193201.tif 000004
６ｃｍ・巾４ｃｍ左右両端に単管（直径５ｃｍ）を乗せる溝を作り、溝と溝の間には左右の単管をボルトの上下で締め付けたり、緩めたりすることができるボルト付鉄製金具を取り付けた、単管の両端を固定する足場器具。
【請求項２】
請求項１の足場器具にある、締め付けたり緩めたりするボルト付鉄製金具を外した、単管の真中を固定する足場器具。
【考案の詳細な説明】
【背景技術】
【０００１】  現在の建築用足場は１本の単管立柱を立て、その前後に２本の単管横柱をジョイントで接続しその上で作業を行うが、当然安全手すりも外側に必要となり非常に狭い場所での作業となり危険である。他の方法として二本の単管立柱をブラケットで接続し、その間に足場板を載せて作業をするが、足場板は重くて・長く運搬が大変である。又足場板と足場板の接続には重なりが生じ、その部分を番線で縛るため、段差と番線の出っ張りが邪魔となり非常に危険である。
【考案を実施するための最良の形態】
【０００２】
0003193201.tif 000003
固定する土台）の上に、鉄製の長さ２０ｃｍ・高さ６ｃｍ・巾４ｃｍの左右両端に単管（直径５ｃｍ）を乗せる溝３を作り、溝３と溝３の間に両端の単管を締め付けたり６緩めたりするボルト２付鉄製金具を付け、締め付けた時に単管・ボルト付鉄製金具６の面が平らになる器具を乗せ、これを単管の両端に設置し、この単管の真中にボルト付鉄製金具の無い４０足場器具を設置して単管を固定させる。ボルト付鉄製金具２個とボルト付鉄製金具の無いもの１個が一組となる足場器具。
【図面の簡単な説明】
【０００３】
【図１】  本考案にかかるボルト付鉄製金具を緩めた時の足場器具。
【図２】  本考案にかかるボルト付鉄製金具を締め付けた時の足場器具。
【図３】  本考案にかかるボルト付鉄製金具を外した足場器具。
【符号の説明】
【０００４】ボルト付鉄製金具の足場器具              ３０
ボルト付鉄製金具のボルト                  １
緩めたボルト付鉄製金具                    ２
単管を乗せる溝                            ３
ブラケットに乗せる鉄製金具                ４
ブラケットに鉄製金具を固定させるボルト穴  ５
締め付けたボルト付鉄製金具                ６
単管の真中にセットする足場器具          ４０
【図１】
0003193201.tif 000005
【図２】
0003193201.tif 000006
【図３】
0003193201.tif 000007
【手続補正書】
【提出日】平成26年7月13日(2014.7.13)
【手続補正１】
【補正対象書類名】実用新案登録請求の範囲
【補正対象項目名】全文
【補正方法】変更
【補正の内容】
【実用新案登録請求の範囲】
【請求項１】
長さ２０ｃｍ、高さ４ｃｍ、巾４ｃｍの長さ方向と直交する方向の断面形状がコの字形状である第１鉄製金具と、第１鉄製金具の上面に設けられた第２鉄製金具とを備えた足場器具であって、
第２鉄製金具は、全体形状が長さ２０ｃｍ、高さ６ｃｍ、巾４ｃｍの略直方体形状を有し、第２鉄製金具の上面の両端部付近には、直径５ｃｍの鉄製単管を乗せる溝を作り、溝と溝の間には、両端の単管をボルトを上下動させることで締め付けたり、緩めたりすることができるボルト付鉄製金具を取り付けた、単管の両端を固定する足場器具。
【請求項２】
長さ２０ｃｍ、高さ４ｃｍ、巾４ｃｍの長さ方向と直交する方向の断面形状がコの字形状である第１鉄製金具と、第１鉄製金具の上面に設けられた第２鉄製金具とを備えた足場器具であって、
第２鉄製金具は、全体形状が長さ２０ｃｍ、高さ６ｃｍ、巾４ｃｍの略直方体形状を有し、第２鉄製金具の上面の両端部付近には、直径５ｃｍの鉄製単管を乗せる溝を作った、単管の真中を固定する足場器具。
【手続補正３】
【補正対象書類名】明細書
【補正対象項目名】０００２
【補正方法】変更
【補正の内容】
【０００２】  長さ２０ｃｍ、高さ６ｃｍ、巾４ｃｍの長さ方向と直交する方向の断面形状がコの字形状である第１鉄製金具４と、第１鉄製金具４の上面に設けられた第２鉄製金具２とを備えた足場器具３０であって、第２鉄製金具２は全体形状が長さ２０ｃｍ、高さ６ｃｍ、巾４ｃｍの略直方体形状を有し、第２鉄製金具２の上面の両端部付近には、直径５ｃｍの鉄製単管を乗せる溝３を作り、溝３と溝３との間には、両端の鉄製単管をボルト１を上下動させることで締め付けたり、緩めたりすることができるボルト付鉄製金具２を取り付けた、鉄製単管の両端を固定する足場器具３０と、鉄製単管の真中を固定する足場器具４０。
【手続補正４】
【補正対象書類名】明細書
【補正対象項目名】０００３
【補正方法】変更
【補正の内容】
【０００３】
【図１】  本考案にかかる第２鉄製金具を緩めた時の足場器具。
【図２】  本考案にかかる第２鉄製金具を締め付けた時の足場器具。
【図３】  本考案にかかる鉄製単管の真中を固定する足場器具。
【手続補正５】
【補正対象書類名】明細書
【補正対象項目名】０００４
【補正方法】変更
【補正の内容】
【０００４】鉄  製  金  具  の  足  場  器  具                                  ３０
第  ２  鉄  製  金  具  の  ボ  ル  ト                                １
緩  め  た  第  ２  鉄  製  金  具                                    ２
鉄  製  単  管  を  乗  せ  る  溝                                    ３
第    １    鉄    製    金    具                                      ４
鉄製金具を固定させるボルト穴                                          ５
締  め  付  け  た  第  ２  鉄  製  金  具                            ６
鉄製単管の真中にセットする足場器具                                  ４０
(57)【要約】      （修正有）【課題】防弾性能を持ち、衝撃吸収もする保護フィルムを提供する。【解決手段】防弾フィルム１，２に衝撃吸収フィルム４を貼り合わせる事で弾丸の貫通を防いだうえに衝撃を吸収し保護したい対象の破損を防ぐことができる。【選択図】図１
0003193207.tif 000002
【実用新案登録請求の範囲】
【請求項１】
防弾性能のあるフィルム１、２と衝撃を吸収するフィルム４を貼り合わせた防弾衝撃吸収を有するフィルム
【請求項２】
防弾性能のあるＰＥＴフィルムと衝撃を吸収するウレタン製フィルムを貼り合わせた防弾衝撃吸収を有するフィルム
【請求項３】
防弾性能のあるＰＥＴ１８８を２枚貼り合わせそこに衝撃を吸収するウレタン製フィルムを貼り合わせた防弾衝撃吸収を有するフィルム
【考案の詳細な説明】
【技術分野】
【０００１】防弾性能を持ち衝撃吸収もする保護フィルム。窓ガラス、車のガラスおよび液晶画面において有効である。
【技術背景】
【０００２】本考案は、防弾性能を有して衝撃を吸収するフィルムである。
【先行技術文献】
【特許文献】
【考案の概要】
【考案が解決しようとする課題】
【０００３】保護フィルムを使うことで保護する対象を守る事ができる。
【議題を解決するための手段】
【０００４】防弾性能をもつフィルムと衝撃を吸収するフィルムを貼り合わせる事で保護する対象を守る事ができる。
【考案の効果】
【０００５】本考案の防弾衝撃吸収フィルムによれば、防弾性能だけではなく衝撃を吸収することができる。
【図面の簡単な説明】
【図１】図１は本考案のフィルムの形状を示した図である。
【考案を実施するための形態】
【符号の説明】１  ハードコート層
２  防弾フィルム層
３  防弾フィルム層（２層目）
４  衝撃吸収フィルム層
５  粘着層
６  保護する対象
【図１】
0003193207.tif 000003
【手続補正書】
【提出日】平成26年6月26日(2014.6.26)
【手続補正１】
【補正対象書類名】実用新案登録請求の範囲
【補正対象項目名】全文
【補正方法】変更
【補正の内容】
【実用新案登録請求の範囲】
【請求項１】
防弾性能のあるフィルム（１、２）と衝撃を吸収するフィルム（４）を貼り合わせた防弾衝撃吸収を有するフィルム
【請求項２】
防弾性能のあるＰＥＴフィルムと衝撃を吸収するウレタン製フィルムを貼り合わせた防弾衝撃吸収を有するフィルム
【請求項３】
防弾性能のあるＰＥＴ１８８を２枚貼り合わせそこに衝撃を吸収するウレタン製フィルムを貼り合わせた防弾衝撃吸収を有するフィルム
(57)【要約】      （修正有）【課題】介護者を車椅子から容易に便座に移動させることができる移動補助箱を提供する。【解決手段】キャスター付足置き板Ｂと長方形の補助箱Ａで構成されていて長方形の補助箱の中をキャスター付足置き板が左右に移動する。便座と車椅子を平行にさせ垂直に補助箱を置き、車椅子より足置き板に立たせて便座の方向に足置き板をスライドさせて便座に座らせることができる。【選択図】図１
0003193210.tif 000002
【実用新案登録請求の範囲】
【請求項１】
キャスター付足置き板と便座と車椅子との間のガード付の補助箱で構成されその中を左右にスライドできることを特徴とする移動補助箱
【考案の詳細な説明】
【技術分野】
【０００１】本考案は車椅子から便座に介護者を平行移動させ便座に座らせるための補助箱である
【背景技術】
【０００２】今までは車椅子から便座に座らせることは容易ではなかった
【考案の概要】
【考案が解決しようとする課題】
【０００３】車椅子から便座に移動させることが容易でなかったがこの補助箱で楽に平行移動ができ便座に座ることができる
【課題を解決するための手段】
【０００４】本考案は便座の位置に車椅子を平行に置き、垂直に補助台を設置しキャスター付の上部足置き板の上に介護者を立たせて便座の位置までスライドをさせることで便座に座らせるように解決している
【考案の効果】
【０００５】本考案により車椅子より便座に移動でき精神的にも肉体的にも満足していただける
【図面の簡単な説明】
【０００６】
【図１】手前側面を取り除いて横から見た図面
【考案を実施するための形態】
【０００７】補助箱は横から見るとフラットであってキャスター付足置き板が左右にスライドできる箱型になっている
【実施例】
【０００８】以下添付図面にしたがって実施例を説明する
本体は耐久性に優れた木材による補助箱で▲Ａ▼長方形の補助箱の中を▲Ｂ▼キャスター付の足置き板が左右に移動する
【符号の説明】
【０００９】▲Ａ▼長方形の補助箱    ▲Ｂ▼キャスター付足置き板
【図１】
0003193210.tif 000003
【手続補正書】
【提出日】平成26年7月10日(2014.7.10)
【手続補正１】
【補正対象書類名】実用新案登録請求の範囲
【補正対象項目名】全文
【補正方法】変更
【補正の内容】
【実用新案登録請求の範囲】
【請求項１】
キャスター付足置き板と長方形の補助箱で構成されていて長方形の補助箱の中をキャスター付足置き板が左右に移動することを特徴とする移動補助箱
(57)【要約】      （修正有）【課題】雨、風、寒さをしのぎながら、ファミリー、カップル、友人などの少人数の人たちが花見、紅葉、天体観測した際、テント内から外観を楽しめる透明なテントを提供する。【解決手段】透明なシートからなる略四角錐のテントとすることで、雨、風、寒さをしのぎながら、ファミリー、カップル、友人などの少人数の人たちが花見、紅葉、天体観測した際、テント内から外観を楽しめるようにした。【選択図】図１
0003193221.tif 000002
【実用新案登録請求の範囲】
【請求項１】
持ち運びが便利で透明なテントのため、
雨、風、寒さをしのぎながら、
ファミリー、カップル、友人などの少人数の人たちが、
テント内から花見、紅葉、天体観測を楽しむことができる。
【考案の詳細な説明】
【考案の概要】
【考案が解決しようとする課題】
【０００１】透明なテントは、大型または持ち運びが不便でアウトドアには不向きなテントしかなかった。このため、ファミリー、カップル、友人など少人数で花見、紅葉、天体観測したときに、雨、風、寒さをしのげて、テント内から外観を楽しめるテントがないのが問題だった。
【問題を解決するための手段】
【０００２】持ち運び便利な透明なテント本体１を使用することで、雨、風、寒さをしのぎながら、ファミリー、カップル、友人などの少人数の人たちが花見、紅葉、天体観測した際、テント内から外観を楽しめるようにした。
【考案の効果】
【０００３】持ち運びが便利で透明なテントのため、雨、風、寒さをしのぎながら、ファミリー、カップル、友人などの少人数の人たちが、テント内から花見、紅葉、天体観測を楽しむことができる。
【図面の簡単な説明】
【０００４】
【図１】雨の日に、考案したテントを使用し、花見をしているイメージ図である。
【符号の説明】
【０００５】１  持ち運び便利な透明なテント本体
【図１】
0003193221.tif 000003
【手続補正書】
【提出日】平成26年7月9日(2014.7.9)
【手続補正１】
【補正対象書類名】実用新案登録請求の範囲
【補正対象項目名】全文
【補正方法】変更
【補正の内容】
【実用新案登録請求の範囲】
【請求項１】
透明なシートからなる略四角錐型の透明なテント。
(57)【要約】      （修正有）【課題】パルス調に温度変化を行う事で温度感覚閾値を低く抑え低温火傷などの危険性をより低くすることができるパルスヒータ制御装置を提供する。【解決手段】熱電半導体素子２と熱電半導体素子に入力する電圧の出力時間を細かく制御する出力装置１とからなる。熱電半導体素子がゲルマニウムであることが好ましい。【選択図】図１
0003193227.tif 000002
【実用新案登録請求の範囲】
【請求項１】
パルス調に温度変化を行う事で温度感覚閾値を低く抑え、低温火傷などの危険性をより低くするホットパック装置である。
【請求項２】
出力装置で、熱電半導体素子であるゲルマニウムヒータへ加える電圧の出力時間を細かく制御することで、ゲルマニウムヒータの表面温度が一定温度に達するまで、常にパルス調に温度変化をさせることができるホットパック装置である。
【考案の詳細な説明】
【技術分野】
【０００１】本考案は、治療に使用するホットパック装置のパルスヒータ制御に関する。
【背景技術】
【０００２】従来のホットパック装置のヒータ制御は、一定温度の出力を目的とすることが多い。【０００３】ホットパック装置は、大きく分けて電気ヒータや温水などでパックなどをあらかじめ温めて使用する保温式タイプと電気ヒータを内蔵して温める加温式タイプに分かれる。【０００４】保温式タイプは、時間が経つと温度が下がる為に長時間の使用に適さない。【０００５】加温式タイプは、電気ヒータが内蔵されている為、長時間の使用も可能となる。
【先行技術文献】
【特許文献】
【０００６】
【特許文献１】特開平９−２２４９７０号公報
【非特許文献】
【０００７】
【非特許文献１】ＪＩＳ  Ｔ  ０６０１−２−２０６  乾式ホットパック装置の安全に関する個別要求事項
【考案の概要】
【考案が解決しようとする課題】
【０００８】しかしながら、一定の温度を長時間人体に接触させると感覚が鈍ることが知られている。その為、個人差によって低温火傷などの危険性があった。
【課題を解決するための手段】
【０００９】本考案は、以上のような従来の危険性に鑑み低温火傷などの危険性をより低くしたホットパック装置を提供することを目的としている。
【考案の効果】
【００１０】一定温度を人体に供給する際の熱伝達率は、温度定常状態時の熱伝達率に比べ温度非定常状態時の熱伝達率は非常に高い。
また、温度感覚閾値は温度定常状態時に比べ温度非定常状態時の方が低い。
その為、温度定常状態時は温度非定常状態時に比べ熱伝達率が低く温度感覚閾値が高くなる。【００１１】温度定常状態時は、熱伝達効率も悪く温度感覚閾値が高くなると高温への感覚が鈍ることにより長時間かつ高温での使用を望む傾向となり、低温火傷の危険性が高くなる。【００１２】パルス調に温度変化を行い温度非定常状態が継続することで、高い熱伝達率及び低い温度感覚閾値により短時間かつ低温での満足感が増加し、低温火傷などの危険性をより低くすることができる。【００１３】パルス調に温度変化を行うには、出力装置で熱電半導体素子であるゲルマニウムヒータへ加える電圧の出力時間を細かく制御する。それにより、ゲルマニウムヒータの表面温度が一定温度に達するまで、常にパルス調に温度変化をさせることができる。
【図面の簡単な説明】
【００１４】
【図１】本考察に係るホットパック装置の構成図
【図２】本考察に係る出力装置のブロック図
【考案を実施するための形態】
【００１５】以下に、本考察に関する実施例を図１に基づいて説明する。１が出力装置であり、２のゲルマニウムヒータに入力する電圧の出力時間を細かく制御するプログラムを有している。１の出力装置には、２のゲルマニウムヒータと接続するコネクタと３の電源ケーブルに接続するコネクタを有している。
【００１６】図２は、本考察装置のブロック図であり商用電源から電力を供給し電源ユニットにて電気を分散しスピーカーや基盤類に電気を送り、ゲルマニウムヒータへの出力を行う。
【実施例】
【００１７】１の出力装置には、２のゲルマニウムヒータが複数接続するためのコネクタを有していることもある。
【符号の説明】
【００１８】１  出力装置
２  ゲルマニウムヒータ
３  電源ケーブル
【図１】
0003193227.tif 000003
【図２】
0003193227.tif 000004
【手続補正書】
【提出日】平成26年7月14日(2014.7.14)
【手続補正１】
【補正対象書類名】実用新案登録請求の範囲
【補正対象項目名】全文
【補正方法】変更
【補正の内容】
【実用新案登録請求の範囲】
【請求項１】
熱電半導体素子と該熱電半導体素子に入力する電圧の出力時間を細かく制御する出力装置とからなることを特徴とするパルスヒータ制御装置。
【請求項２】
前記熱電半導体素子がゲルマニウムでることを特徴とする請求項１に記載のパルスヒータ制御装置。
【手続補正２】
【補正対象書類名】明細書
【補正対象項目名】０００９
【補正方法】変更
【補正の内容】
【０００９】本考案は、以上のような従来の危険性に鑑み低温火傷などの危険性をより低くしたホットパック装置を提供することを目的としており、請求項１に記載のパルスヒータ制御装置は熱電半導体素子と該熱電半導体素子に入力する電圧の出力時間を細かく制御する出力装置とからなることを特徴とする。
請求項２に記載のパルスヒータ制御装置は前記熱電半導体素子がゲルマニウムでることを特徴とする。
(57)【要約】      （修正有）【課題】津波からの絶体絶命の危機を回避するために設けた津波脱出シェルターを提供する。【解決手段】だるま状の外郭３と、断熱材兼衝撃吸収材４の二重構造で囲われた居住空間である浮きの入り口にはシャッター１を設け、奥に採光と給気・換気が可能な防水性の高い扉２設ける。内部にシートベルト６つき座席シート５を設け、シートベルト６つき座席シート５の座席下に非常用食料の収納庫７を設け、その奥に錘８を設けた「起き上がりこぼし」の原理で軽い方が上部となることを特徴とする。【選択図】図１
0003193218.tif 000002
【実用新案登録請求の範囲】
【請求項１】
居住空間が収まる浮きの機能を有するシェルター（３）（４）の入り口にはシャッター（１）を設け、奥に採光と給気・換気が可能な防水性の高い扉（２）設け、内部にシートベルト（６）つき座席シート（５）を設け、シートベルト（６）つき座席シート（５）の座席下に非常用食料の収納庫（７）を設け、その奥に錘（８）を設けた津波脱出シェルター。
【考案の詳細な説明】
【技術分野】
【０００１】  この考案は、居住空間が収まる浮きの内部に非常用食料を完備し、シートベルトつき座席シートを設けた津波脱出シェルターに関するものである。
【背景技術】
【０００２】  従来、津波に対しては巨大防波堤などの構築物により防ぐ方法や、地盤を嵩上げし高い場所へ建物を移転して対策する方法であった。また、実際に津波が発生した場合には、高い場所へ素早く非難する方法が最善であった。
【先行技術文献】
【考案文献】
【０００３】  同様及び類似的なものは特にない。
【考案の概要】
【考案が解決しようとする課題】
【０００４】  これは、次のような欠点があった。
従来、津波が防波堤の高さを超える場合、高い場所へ非難する方法しか無く、逃げ遅れたら絶体絶命の危機に曝されていた。本考案は、以上のような危険を回避するためになされたものである。
【課題を解決しようとする手段】
【０００５】  居住空間が収まる浮きの機能を有するシェルター（３）（４）の入り口にはシャッター（１）を設け、奥に採光と給気・換気が可能な防水性の高い扉（２）を設け、内部にシートベルト（６）つき座席シ−ト（５）を設け、シートベルト（６）つき座席シ−ト（５）の座席下に非常用食料の収納庫（７）を設け、その奥に錘（８）を設ける。また、天井には天窓（９）を設ける。
本考案は、以上の構成よりなるシートベルトつき座席シ−トを設けた津波脱出シェルターであり、近隣かつ最も有効な避難場所に基礎等に固定せず設置するものである。
【考案の効果】
【０００６】  津波が来たら「起き上がりこぼし」の原理で軽い方が上部となり、浮くことにより津波がひくまでの安全を確保し、飛行機からパラシュートで脱出するような絶体絶命の危機から回避可能となるものである。
本考案の技術が成熟すれば、想定外の津波の規模にも対応可能となり得る。
また、非常用食料の収納を設けているため、数日は非難場所として使用できる。  なお、巨大防波堤などの構築物に比べ安価である。
【図面の簡単な説明】
【０００７】
【図１】  本考案の平面図である。
【図２】  本考案の屋根（上）伏図である。
【図３】  本考案の下部（底）伏図である。
【図４】  本考案の立面図である。
【図５】  本考案の展開図である。
【図６】  本考案の断面図である。
【図７】  本考案の津波避難時の断面図である。
【図８】  本考案の津波避難時の平面図である。
【図９】  本考案の津波避難時の立面図である。
【図１０】  本考案の津波避難時の展開図である。
【図１１】  本考案の津波避難時の屋根（上）伏図である。
【図１２】  本考案の津波避難時の想定状況図である。
【考案を実施するための形態】
【０００８】以下、考案を実施するための形態について説明する。
居住空間が収まる浮きの機能を有するシェルター（３）（４）の入り口にはシャッター（１）を設け、奥に採光と給気・換気が可能な防水性の高い扉（２）設け、内部にシートベルト（６）つき座席シ−ト（５）を設け、シートベルト（６）つき座席シ−ト（５）の座席下に非常用食料の収納庫（７）を設け、その奥に錘（８）を設ける。また、天井には天窓（９）を設ける。
本考案は、以上の構成よりなるシートベルトつき座席シートを設けた津波脱出シェルターであり、近隣かつ最も有効な避難場所に基礎等に固定せず設置するものである。
従来、津波が防波堤の高さを超える場合、高い場所へ非難する方法しか無く、逃げ遅れたら絶体絶命の危機に曝されていた。本考案は、以上のような危険を回避するためになされたものである。
【符号の説明】
【０００９】１  入口のシャッター
２  入口の扉
３  外殻：耐食性を有する素材（強化プラスチック等）による浮きの機能を有する構造
４  断熱材兼衝撃吸収材：内部の人への衝撃等を吸収し断熱を確保する素材（発砲材等）
５  座席シ−ト
６  シ−トベルト
７  収納庫（座席下）
８  錘
９  天窓
【図１】
0003193218.tif 000003
【図２】
0003193218.tif 000004
【図３】
0003193218.tif 000005
【図４】
0003193218.tif 000006
【図５】
0003193218.tif 000007
【図６】
0003193218.tif 000008
【図７】
0003193218.tif 000009
【図８】
0003193218.tif 000010
【図９】
0003193218.tif 000011
【図１０】
0003193218.tif 000012
【図１１】
0003193218.tif 000013
【図１２】
0003193218.tif 000014
【手続補正書】
【提出日】平成26年6月25日(2014.6.25)
【手続補正１】
【補正対象書類名】実用新案登録請求の範囲
【補正対象項目名】全文
【補正方法】変更
【補正の内容】
【実用新案登録請求の範囲】
【請求項１】
だるま状の外郭（３）と断熱材兼衝撃吸収材（４）の二重構造で囲われ密閉された居住空間である浮きの入り口にはシャッター（１）を設け、奥に入口の扉（２）を設け、内部にシートベルト（６）つき座席シート（５）を設け、シートベルト（６）つき座席シ−ト（５）の座席下に非常用食料の収納庫（７）を設け、その奥に錘（８）を設けた津波脱出シェルター。
(57)【要約】      （修正有）【課題】認知症患者が無意識に除圧クッションを取りはずすことを防止できる膝拘縮圧迫予防ベルトを提供する。【解決手段】布キルティング２でベルトを作り、その中央部にジェルパック１を入れる袋状の部分を作り、面ファスナー３で両膝の間に固定する。【選択図】図２
0003193213.tif 000002
【実用新案登録請求の範囲】
【請求項１】
ジェルパック（１）を布キルティング（２）の中央に挟み、マジックテープ（３）で固定した固定式除圧ジェルパックである。
【考案の詳細な説明】
【技術分野】
【００１】この考案は、膝が屈曲拘縮し両膝の圧迫を防ぐもので褥瘡予防に考えた考案です。
【背景技術】
【００２】従来は、膝の屈曲拘縮の場合、除圧のためクッション等を膝の間に挟むが、認知症高齢者は自己にて取りはずす欠点があった。    （特許文献１参照）
【先行技術文献】
【００３】
【特許文献】
【特許文献】  特開００００−００００００号会報
【考案の概要】
【考案が解決しようとする課題】
【００４】従来、認知症高齢者は無意識にクッションを取りはずす欠点があった。
【課題を解決するための手段】
【００５】ジェルパック（１）を布テープに挟み膝に固定させ、認知症高齢者が無意識に取りはずせなくする。
【考案の効果】
【００６】ジェルパック（１）を布テープに挟み膝に固定させ、認知症高齢者が取りはずせなくなり膝の除圧が出来、発赤等もなくなり褥瘡防止となった。
【図面の簡単な説明】
【００７】
【図１】本考案は固定式で除圧の出来るジェルパックの斜視図である。
【図２】本考案は固定式で除圧の出来るジェルパックの装着した分解斜視図である。
【考案を実施するための形態】
【００８】認知症高齢者は除圧のためのクッションを無意識に取りはずしてしまうため固定式で除圧出来るものを考案し、ジェルパックを使用しマジックテープで固定するのが特徴
【符号の説明】（１）  ジェルパック
（２）  布キルティング
（３）  マジックテープ
【図１】
0003193213.tif 000003
【図２】
0003193213.tif 000004
【手続補正書】
【提出日】平成26年7月3日(2014.7.3)
【手続補正１】
【補正対象書類名】実用新案登録請求の範囲
【補正対象項目名】全文
【補正方法】変更
【補正の内容】
【実用新案登録請求の範囲】
【請求項１】
ジエルパック（１）を布キルティング（２）の中央に挟み面ファスナー（３）で固定した除圧ジエルパックの、  認知症患者用予防ベルト。
【手続補正３】
【補正対象書類名】明細書
【補正対象項目名】００８
【補正方法】変更
【補正の内容】
【００８】認知症患者は除圧のためのクッションを無意識にとりはずしてしまうため、固定式で除圧の出来るものをしてジエルパックを面ファスナーで固定するのが特徴。
【手続補正４】
【補正対象書類名】図面
【補正対象項目名】図２
【補正方法】変更
【補正の内容】
【図２】
0003193213.tif 000005
(57)【要約】【課題】取り付けが甚だ簡便でウェアを傷つけたり汚したりすることがなく、人体を傷つけることもなく、かさ張らないゼッケン・名札用留め具を提供する。【解決手段】自己融着性素材を独立した薄片状体１に形成して本考案のゼッケン・名札用留め具Ａとする。その流通上の商品形態は、該薄片状体１の表裏が剥離性の保護シート２１，２２で被覆したものとする。【選択図】図１
0003193219.tif 000002
【実用新案登録請求の範囲】
【請求項１】
自己融着性素材を独立した薄片状体に形成して成るゼッケン・名札用留め具。
【請求項２】
薄片状体の表裏を剥離性保護シートで被覆した請求項１記載のゼッケン・名札用留め具。
【考案の詳細な説明】
【技術分野】
【０００１】この考案は、スポーツウェアなどの衣服にゼッケンや名札を取り付けるための留め具に関する。
【背景技術】
【０００２】スポーツなどで競技者の衣服の前後に付ける番号等を記したいわゆるゼッケンや学童などに付ける名札は、これを衣服に取り付ける手段として、予め縫い合わせたり接着剤で貼り付ける場合もあるが、多くは安全ピンを用いている。またゼッケンの四隅などの要所に予め設けられた貫通孔にプラスチック製小板に設けた突起を差し込み、裏側から別の小板で留める留め具も考案・実施されている。
【考案の開示】
【考案が解決しようとする課題】
【０００３】このような現状にあって、安全ピンを用いる場合は、取り付けに手間がかかるばかりか、ウェアを傷付けたり、焦って取り付けて刺してしまう危険もある。また接着剤や粘着剤を用いると、剥離後にそれが生地に残りがちであり、既製のプラスチック製留め具もゼッケンに穿孔を要したりややかさ張るなどの問題点があった。【０００４】本考案はかかる問題点を解消し、取り付けが甚だ簡便でウェアを傷つけたり汚したりすることがなく、人体を傷つけることもなく、かさ張らないゼッケン・名札用留め具を提供することを課題とする。
【課題を解決するための手段】
【０００５】自己融着性素材を独立した薄片状体１に形成して本考案のゼッケン・名札用留め具Ａとする。【０００６】その流通上の商品形態は、該薄片状体１の表裏が剥離性の保護シート２１，２２で被覆されている。【０００７】特に裏側の保護シート２２は、取り付け現場で扱いやすいように、複数の薄片状体１を載置する台紙となるように大型化する場合もある。【０００８】ここで薄片状体１として用いられる自己融着性素材とは、たとえばブチルゴムのように、同じ材料同士が融着して一体化しようとするもので、現状では防水用として用いられている。いわゆる粘着剤とも異なり、それ自体、弾力性の固形体状を保つものであるが、衣服などの表面に圧着すると意外にもかなり強固な粘着性を発揮し、剥離しても固形物であるからそれが布地に残留しないので、ゼッケンのように一時的に衣服に付ける留め具には最適であることが判明した。【０００９】なお、このゼッケン・名札用留め具Ａを予めゼッケン・名札３の裏側要所に貼着してその上を剥離性保護シート２１で被覆しておけば、留め具が取り付けられているゼッケン・名札Ｂとなる。【００１０】このような予め違和感なく留め具が取り付けられているゼッケン・名札Ｂも、本考案の留め具Ａによってはじめて現実に実用的なものとなり得る。
【考案の効果】
【００１１】本考案によれば、ゼッケンや名札を取り付けるにあたり、衣服を汚したり傷つけたりすることがなく、人体に対し安全でかさ張らず、甚だ容易かつスピーディーに取り付け及び取り外しができるなどの効果がある。
【考案を実施するための最良の形態】
【００１２】厚さ約１ｍｍのブチルゴムシートの表裏を剥離紙で被覆したものを、直径約１５ｍｍの円形に抜き成型し、或いは別のデザイン形に抜き成型して製品化する。【００１３】ゼッケンの裏側四隅に上記の剥離紙を剥離して貼着し、留め具付きのワンタッチ装着ゼッケンとして約２０名のモニターが実際に近い状況で試用したところ、剥離などのトラブルもなく、甚だ好評であった。
【産業上の利用可能性】
【００１４】本考案はニーズが高く、量産も容易であるので、産業上の利用可能性は十分にある。
【図面の簡単な説明】
【００１５】
【図１】本考案の留め具一例の見取図
【図２】本考案を取り付けたゼッケンの見取図
【符号の説明】
【００１６】  １……薄片状体
２１……表側の保護シート
２２……裏側の保護シート
３……ゼッケン・名札
Ａ……ゼッケン・名札用留め具
Ｂ……留め具が取り付けられているゼッケン・名札
【図１】
0003193219.tif 000003
【図２】
0003193219.tif 000004
(57)【要約】      （修正有）【課題】濡れた傘を蛇腹状の傘袋に瞬時に収納でき、傘を取り出した後は傘袋をコンパクトなプラスチックのケースに収納した後、水切りしたらそのまま鞄、ポケット等に入れられるお洒落な傘のケースを提供する。【解決手段】布、ビニール、化学繊維の傘袋の内側に戻る作用があるコイルスプリングが装着され、蛇腹状に折りたたむと傘袋が片手のひらの中におさまる大きさの丸い筒状のプラスチックのケースの中におさまるように、傘袋もコイルスプリングもケースの一部として構成されている。【選択図】図１
0003193217.tif 000002
【実用新案登録請求の範囲】
【請求項１】
蛇腹状に折りたたんだ布製又はビニール製等を片手のひらで収まる傘のプラスチックのケースで、傘袋が広がると濡れた傘を収納できる。
【請求項２】
傘袋をコイルスプリング（底面に接着）による戻る作用によって傘ケースに収納できる請求項１の傘のケース。
【請求項３】
ケースの開閉は▲１▼フタを開け軸筒に沿って下げる▲２▼途中で１８０度回転させ底部分にはめる▲３▼フタの外面辺には水漏れ防止のためパッキンが付く▲４▼手動により傘の上部まで持ち上げマジックテープで止める▲５▼底の面が元来の表面フタになる請求項１の傘のケース。
【請求項４】
コイルスプリングの特性は▲１▼外形と内径を２つセットする▲２▼外形のスプリングと内径のスプリングの方向性は逆にする▲３▼これは傘袋の安定性を増すためである請求項１の傘のケース。
【請求項５】
水抜きは引き押しにする、内部に１カ所水抜き穴を設けその外面にスライドフックを設ける請求項１の傘のケース。
【考案の詳細な説明】
【技術分野】
【０００１】本発明は濡れた傘を蛇腹状の傘袋に瞬時に収納でき、傘を取り出した後は傘袋をコンパクトなプラスチックのケースに収納した後、水切りしたらそのまま鞄、ポケット等に入れられるお洒落な傘のケースである。
【背景技術】
【０００２】▲１▼傘を収めることにケースを考えると包むということになる。
▲２▼包んだカバーを収納できないものかと考えた（コイルスプリングの戻るという習性を利用した、コイルスプリングを伸ばした状態に撥水機能の布をコーデングすることを考えた）。
▲３▼片手のひらに納まる大きさでコンパクトにできないか考えた。
▲４▼操作を簡単にできないかを考えた。
以上の点を総合的に取り入れてこの製品を発明した。
【考案の概要】
【考案が解決しようとする課題】
【０００３】雨の日の従来の傘のケースは、そのケース自体の濡れたままの収納ができるものがなかったが、それらの傘のケースと違い本発明は濡れた傘を蛇腹状の傘袋を瞬時に収納でき、傘を出した後、傘袋をコンパクトにケースに収納し、水切りした後、片手のひらの中に持てるのでそのまま鞄、ポケット等に収納できる傘のケース。
【課題を解決するための手段】
【０００４】片手のひらの中に持てるケースの大きさにするため、▲１▼傘袋には戻る作用があるコイルスプリングを使い、コイルスプリングを伸ばした状態で防水布を接着し、またコイルスプリングも外径と内径の方向を逆にセットし、傘袋の安定性を増し、傘袋をコンパクトなプラスチックのケースに収納したら水切りをして、そのまま鞄、ポケット等にいれられる。▲２▼ケースのフタの開閉はフタを開け軸筒に沿って下げ、途中で１８０度回転させ底部分にはめる（底の面が元来の表面フタになる）。▲３▼水抜きは引き押しにする、内部に１カ所水抜き穴を設けその外面にスライドフックを設ける。
【考案の効果】
【０００５】本発明は片手のひらの中で収まる大きさのプラスチックの傘のケースのため、鞄やポケット、女性の小さなバックにも容れられ常に持ち歩けるお洒落なものである。濡れた傘をいれた傘袋も様々なカラーなお洒落なもので、車、電車、デパート、劇場等に似合うとおもわれる。
【図面の簡単な説明】
【０００６】
【図１】傘袋本体を伸ばした状態で傘を入れた図
【図２】傘袋を収納した傘のケースの図
【図３】コイルスプリングが収納されている傘のケースの状態の図
【考案を実施するための形態】
【０００７】片手のひらに納まるプラスチックの傘のケース。
【実施例】
【０００８】濡れた傘を傘袋に入れれば車の中、電車の中、デパート、劇場等の中で使えると同時に傘を出した後は鞄やポケット、バック等持ち歩ける。
【図１】
0003193217.tif 000003
【図２】
0003193217.tif 000004
【図３】
0003193217.tif 000005
【手続補正書】
【提出日】平成26年7月10日(2014.7.10)
【手続補正１】
【補正対象書類名】実用新案登録請求の範囲
【補正対象項目名】全文
【補正方法】変更
【補正の内容】
【実用新案登録請求の範囲】
【請求項１】
布、ビニール、化学繊維の傘袋の内側に戻る作用があるコイルスプリングが装着され、傘袋が片手のひらの中におさまる大きさの丸い筒状のプラスチックのケースの中におさまり、傘袋もコイルスプリングもケースの一部として構成されている片手のひらの中におさまる大きさのプラスチックの傘のケース
(57)【要約】      （修正有）【課題】フィルターに付いたゴミの処理は、手や空気の汚れ等、気になる点が有ったが、事前に被せた使い捨てフィルターカバーを、反対側に包みこむように外す事により、ワンタッチでゴミの処理が出来る掃除機の使い捨てフィルターカバーを提供する。【解決手段】ポリエステル主要繊維の不織材からなる円筒状のシート１と、シートの周縁部分にシートの延長である２か所の舌片部２と、周縁部分にゴム３とを備えた事を特徴とする。【選択図】図１
0003193212.tif 000002
【実用新案登録請求の範囲】
ポリエステル主要繊維の不織材からなる円状のシート、周縁部分に同シート延長で舌片部を２か所設け、周縁にゴム設け袋状にする事を特徴とする、掃除機の使い捨てフィルターカバー。
【考案の詳細な説明】
【技術分野】
【０００１】  本発明は、既存のフィルターの上に被せて使用する掃除機・布団用掃除機対応の使い捨てフィルターカバーである。
【背景技術】
【０００２】  掃除機・布団用掃除機のフィルターは何層かになっているが、一番外側のフィルターに付着したゴミは手で取り除いたりされている。
【考案の概要】
【考案が解決しようとする課題】
【０００３】  掃除機・布団用掃除機のフィルターのゴミ捨ての際、一番外側のフィルターについたゴミを手やブラシを使用し取り除いてから、内部フィルター処理は必要に応じてするが、外側フィルターに付着したゴミの除去は毎回不可欠である。この除去を手も空気も汚さず、ワンタッチで終了させる。
本考案は、以上の問題を解決する為になされた物である。
【課題を解決するための手段】
【０００４】  ポリエステル主要繊維・不織材からなる円状のシートの周縁部分に、同シート延長で舌片部を２か所、対向する位置に設ける。周縁にはゴムを設け、袋状にする。
以上の構成よりなる掃除機・布団用掃除機の使い捨てフィルターカバーである。
【考案の効果】
【０００５】  従来、フィルターに付いたゴミの処理は、手や空気の汚れ等、気になる点が有ったが、本発明は、事前に被せた使い捨てフィルターカバーを、反対側に包みこむように外す事により、ワンタッチでゴミの処理が出来る。
本考案は、広い範囲の掃除機・布団用掃除機の機種に対応可能である。
【図面の簡単な説明】
【０００６】
【図１】本考案の斜視図
【図２】本考案の使用状態を示す斜視図
【考案を実施するための形態】
【０００７】以下、本考案の実施の形態を説明する。
ポリエステル主要繊維・不織材の、円状のシート（１）に、同シート周縁上に舌片部（２）を対向する位置２か所に設ける。
シート（１）の縁に紐状のゴム（３）を織り込む等、配する。
本考案は以上の様な構造である。
本考案を使用するときは、（１００）を掃除機又は布団用掃除機のフィルターの外側に被せ使用する。装着しやすく、使用中に外れ難くする為、フィルターに舌片部（２）をかませる。機種によりフィルターサイズは様々だが、サイクロン掃除機又は布団用掃除機の吸引力で、本考案品は既存フィルターに吸着され外れる事は無い。使用後は、使い捨てフィルターカバーの上部を持ち、ゴミを包み込む様に取り外し、フィルターカバーがゴミを包み込んだ状態そのままで破棄すればよい。
【符号の説明】
【０００８】（１００）本体
（１）    シート
（２）    舌片部
（３）    ゴム
【図１】
0003193212.tif 000003
【図２】
0003193212.tif 000004
【手続補正書】
【提出日】平成26年7月1日(2014.7.1)
【手続補正１】
【補正対象書類名】実用新案登録請求の範囲
【補正対象項目名】全文
【補正方法】変更
【補正の内容】
【実用新案登録請求の範囲】
【請求項１】
ポリエステル主要繊維の不織材からなる円筒状のシートと、
前記シートの周縁部分に前記シートの延長である２か所の舌片部と、
前記周縁部分にゴムとを備えた事を特徴とする、
袋状の掃除機の使い捨てフィルターカバー。